【手続補正書】
【提出日】令和1年10月3日(2019.10.3)
【手続補正１】
【補正対象書類名】特許請求の範囲
【補正対象項目名】全文
【補正方法】変更
【補正の内容】
【特許請求の範囲】
【請求項１】
複数行に配され、画素信号を出力する複数の画素と、
前記複数の画素を行単位で走査する行走査部と、
前記複数行のうちの一の行の前記画素信号の処理タイミングに対応する第１時刻情報と、前記複数行のうちの他の行の前記画素信号に対応する時刻情報であって、前記第１時刻情報とは値の異なる第２時刻情報とを出力する出力部と、を備える撮像装置であって、
前記撮像装置の外部から供給された基準時刻を用いて、前記基準時刻よりも分解能の高い時刻情報として、前記第１時刻情報と前記第２時刻情報を生成する時刻情報生成部と、
を備える撮像装置。
【請求項２】
前記時刻情報は、前記行走査部による走査期間の開始時刻、または前記走査期間の終了時刻を表すことを特徴とする請求項１に記載の撮像装置。
【請求項３】
前記画素は、光電変換部と、前記光電変換部によって生じた電荷を転送する転送トランジスタと、前記転送トランジスタによって転送された電荷に基づく前記画素信号を出力する増幅トランジスタとを備え、
前記時刻情報は、前記転送トランジスタがオンからオフになる時刻を表すことを特徴とする請求項１に記載の撮像装置。
【請求項４】
前記複数の画素は、前記光電変換部における露光タイミングが行毎に異なるローリングシャッタの動作を実行可能であることを特徴とする請求項３に記載の撮像装置。
【請求項５】
前記画素は、光電変換部と、保持部と、前記光電変換部によって生じた電荷を前記保持部に転送する第１の転送トランジスタと、前記保持部における電荷を転送する第２の転送トランジスタと、前記第２の転送トランジスタによって転送された電荷に基づく前記画素信号を出力する増幅トランジスタとを備え、
前記時刻情報は、前記複数の画素において同時に前記第１の転送トランジスタがオンからオフになる時刻を表すことを特徴とする請求項１に記載の撮像装置。
【請求項６】
前記複数の画素は、前記光電変換部における露光タイミングがフレーム内において同一となる一括電子シャッタの動作を実行可能であることを特徴とする請求項５に記載の撮像装置。
【請求項７】
前記時刻情報生成部は、前記行走査部により同時に選択される１つまたは複数の行毎に、前記時刻情報を生成することを特徴とする請求項１乃至６のいずれか１項に記載の撮像装置。
【請求項８】
前記時刻情報生成部は、バイナリデータで表された前記時刻情報を生成することを特徴とする請求項７に記載の撮像装置。
【請求項９】
前記時刻情報生成部は、前記撮像装置が出力する前記画素信号のうち、遮光されたオプティカル・ブラック画素に対応する部分に、前記時刻情報を付加することを特徴とする請求項７または８に記載の撮像装置。
【請求項１０】
複数行に配され、画素信号を出力する複数の画素を備える撮像装置であって、
前記撮像装置の外部から供給された基準時刻を用いて、前記基準時刻よりも分解能の高い時刻情報を生成する時刻情報生成部を備える撮像装置。
【請求項１１】
前記時刻情報生成部は、位置情報をさらに出力することを特徴とする請求項１乃至１０のいずれか１項に記載の撮像装置。
【請求項１２】
前記時刻情報生成部は、撮像条件を表す撮像情報をさらに出力することを特徴とする請求項１乃至１１のいずれか１項に記載の撮像装置。
【請求項１３】
前記撮像情報は、前記複数の画素における露光時間の情報を含むことを特徴とする請求項１２に記載の撮像装置。
【請求項１４】
前記撮像情報は、前記画素信号が対応するフレーム番号を含むことを特徴とする請求項１２に記載の撮像装置。
【請求項１５】
前記撮像情報は、前記時刻情報に関連付けられた走査行の番号を含むことを特徴とする請求項１２に記載の撮像装置。
【請求項１６】
ＧＰＳ衛星の受信電波から前記基準時刻を取得する取得部をさらに備え、前記時刻情報生成部は、前記基準時刻を用いて、前記基準時刻よりも分解能の高い前記時刻情報を生成することを特徴とする請求項１乃至１５のいずれか１項に記載の撮像装置。
【請求項１７】
前記時刻情報生成部は、前記基準時刻のＰＰＳ信号を用いて、前記時刻情報を生成することを特徴とする請求項１６に記載の撮像装置。
【請求項１８】
前記基準時刻は、ネットワークを介して時刻サーバから供給されることを特徴とする請求項１乃至１７のいずれか１項に記載の撮像装置。
【請求項１９】
前記基準時刻は、標準電波から送信されることを特徴とする請求項１乃至１８のいずれか１項に記載の撮像装置。
【請求項２０】
撮像装置と、時刻情報を生成する時刻情報生成部とを備える撮像システムであって、
前記撮像装置は、
複数行に配された複数の画素と、
前記複数の画素を行単位で走査する行走査部と、
選択された行の前記複数の画素のそれぞれから画素信号を読み出す読出部と、
前記読出部からの複数の前記画素信号をフレーム毎の画像データとして出力する出力部とを有し、
前記時刻情報生成部は前記時刻情報として、前記複数行のうちの一の行の前記画素信号の処理タイミングに対応する第１時刻情報と、前記複数行のうちの他の行の前記画素信号に対応する時刻情報であって、前記第１時刻情報とは値の異なる第２時刻情報とを生成し、
前記時刻情報生成部は、前記撮像装置の外部から供給された基準時刻を用いて、前記基準時刻よりも分解能の高い時刻情報として、前記第１時刻情報と前記第２時刻情報とを生成することを特徴とする撮像システム。
【請求項２１】
前記時刻情報は、前記行走査部による走査期間の開始時刻、または前記走査期間の終了時刻を表すことを特徴とする請求項２０に記載の撮像システム。
【請求項２２】
前記時刻情報は、前記読出部が前記画素信号の読み出しを開始する時刻を表すことを特徴とする請求項２０に記載の撮像システム。
【請求項２３】
前記時刻情報は、前記読出部が前記画素信号の読み出しを終了する時刻を表すことを特徴とする請求項２１に記載の撮像システム。
【請求項２４】
前記画素は、光電変換部と、前記光電変換部によって生じた電荷を転送する転送トランジスタと、前記転送トランジスタによって転送された電荷に基づく前記画素信号を出力する増幅トランジスタとを備え、
前記時刻情報は、前記転送トランジスタがオンからオフになる時刻を表すことを特徴とする請求項２０に記載の撮像システム。
【請求項２５】
前記複数の画素は、前記光電変換部における露光タイミングが行毎に異なるローリングシャッタの動作を実行可能であることを特徴とする請求項２４に記載の撮像システム。
【請求項２６】
前記画素は、光電変換部と、保持部と、前記光電変換部によって生じた電荷を前記保持部に転送する第１の転送トランジスタと、前記保持部における電荷を転送する第２の転送トランジスタと、前記第２の転送トランジスタによって転送された電荷に基づく前記画素信号を出力する増幅トランジスタとを備え、
前記時刻情報は、前記複数の画素において同時に前記第１の転送トランジスタがオンからオフになる時刻を表すことを特徴とする請求項２０に記載の撮像システム。
【請求項２７】
前記複数の画素は、前記光電変換部における露光タイミングがフレーム内において同一となる一括電子シャッタの動作を実行可能であることを特徴とする請求項２６に記載の撮像システム。
【請求項２８】
前記時刻情報生成部は、位置情報をさらに出力することを特徴とする請求項２０乃至２７のいずれか１項に記載の撮像システム。
【請求項２９】
前記時刻情報生成部は、撮像条件を表す撮像情報をさらに出力することを特徴とする請求項２０乃至２８のいずれか１項に記載の撮像システム。
【請求項３０】
前記撮像情報は、前記複数の画素における露光時間の情報を含むことを特徴とする請求項２９に記載の撮像システム。
【請求項３１】
前記撮像情報は、前記画像データのフレーム番号を含むことを特徴とする請求項２９に記載の撮像システム。
【請求項３２】
前記撮像情報は、前記時刻情報に関連付けられた走査行の番号を含むことを特徴とする請求項２９に記載の撮像システム。
【請求項３３】
前記行走査部により同時に選択される１つまたは複数の行毎に、前記時刻情報を前記画像データに付加する情報付加部をさらに備えることを特徴とする請求項２０乃至３２のいずれか１項に記載の撮像システム。
【請求項３４】
前記情報付加部は前記画像データにバイナリデータで表された前記時刻情報を付加することを特徴とする請求項３３に記載の撮像システム。
【請求項３５】
前記情報付加部は、前記画像データのうちの遮光されたオプティカル・ブラック画素に対応する部分に、前記時刻情報を付加することを特徴とする請求項３３または３４に記載の撮像システム。
【請求項３６】
ＧＰＳ衛星の受信電波から前記基準時刻を取得する取得部をさらに備え、前記時刻情報生成部は、前記基準時刻を用いて、前記基準時刻よりも分解能の高い前記時刻情報を生成することを特徴とする請求項２０乃至３５のいずれか１項に記載の撮像システム。
【請求項３７】
前記時刻情報生成部は、前記基準時刻のＰＰＳ信号を用いて、前記時刻情報を生成することを特徴とする請求項３６に記載の撮像システム。
【請求項３８】
前記基準時刻は、ネットワークを介して時刻サーバから供給されることを特徴とする請求項２０乃至３５のいずれか１項に記載の撮像システム。
【請求項３９】
前記基準時刻は、標準電波から送信されることを特徴とする請求項２０乃至３５のいずれか１項に記載の撮像システム。
【請求項４０】
前記撮像装置はＣＭＯＳイメージセンサであることを特徴とする請求項２０乃至３９のいずれか１項に記載の撮像システム。
【請求項４１】
前記撮像装置はＣＣＤイメージセンサであることを特徴とする請求項２０乃至３９のいずれか１項に記載の撮像システム。
【手続補正２】
【補正対象書類名】明細書
【補正対象項目名】０００５
【補正方法】変更
【補正の内容】
【０００５】
本発明の一実施形態による撮像装置は、複数行に配され、画素信号を出力する複数の画素と、前記複数の画素を行単位で走査する行走査部と、前記複数行のうちの一の行の前記画素信号の処理タイミングに対応する第１時刻情報と、前記複数行のうちの他の行の前記画素信号に対応する時刻情報であって、前記第１時刻情報とは値の異なる第２時刻情報とを出力する出力部とを備える撮像装置であって、前記撮像装置の外部から供給された基準時刻を用いて、前記基準時刻よりも分解能の高い時刻情報として、前記第１時刻情報と前記第２時刻情報を生成する時刻情報生成部と、を備える。
【手続補正３】
【補正対象書類名】明細書
【補正対象項目名】０００６
【補正方法】変更
【補正の内容】
【０００６】
本発明の他の態様による撮像システムは、撮像装置と、時刻情報を生成する時刻情報生成部とを備える撮像システムであって、前記撮像装置は、複数行に配された複数の画素と、前記複数の画素を行単位で走査する行走査部と、選択された行の前記複数の画素のそれぞれから画素信号を読み出す読出部と、前記読出部からの複数の前記画素信号をフレーム毎の画像データとして出力する出力部とを有し、前記時刻情報生成部は前記時刻情報として、前記複数行のうちの一の行の前記画素信号の処理タイミングに対応する第１時刻情報と、前記複数行のうちの他の行の前記画素信号に対応する時刻情報であって、前記第１時刻情報とは値の異なる第２時刻情報とを生成し、前記時刻情報生成部は、前記撮像装置の外部から供給された基準時刻を用いて、前記基準時刻よりも分解能の高い時刻情報として、前記第１時刻情報と前記第２時刻情報とを生成する。